(57)【要約】【課題】必要なシート状感光材料を容易に探し出すことができるトレーサビリティーシステムを提供する。【解決手段】シート状感光材料の生産ラインは、複数の工程Ｓ１〜Ｓ６と、これらの工程を統括的に管理する生産情報管理コンピュータ５０とからなる。生産情報管理コンピュータ５０には、データベース５４が設けられており、各工程に送信する指示情報と、各工程で生じた実績情報とが記憶されて一元的に管理されている。データベース５４内の情報を検索することにより、そのシート状感光材料の加工履歴、現在位置まで知ることができる。【選択図】図７
2007168893.tif 000002
【特許請求の範囲】
【請求項１】
マスターロールから乳剤が塗布されたマスターフイルムを引き出し、これを裁断して複数のスリットロールを形成する裁断設備を有する裁断工程と、
スリットロールからスリットフイルムを引き出し、所定長さごとに切断してシート状感光材料を形成し、複数枚のシート状感光材料を集積して冊を形成する切断・集積設備を有する切断・集積工程とを備えるシート状感光材料の製造ラインに用いられ、
前記裁断工程を管理するとともに、各スリットロールに識別用のスリット番号を付与するスリット情報作成部を有する第１の工程管理手段と、
前記切断・集積工程を管理するとともに、スリットフイルム内の各冊を識別するブロック番号を付与し、各冊の位置及び範囲をスリットフイルムの端部からの長さによって表す冊位置情報を作成する冊情報作成部を有する第２の工程管理手段と、
前記第１及び第２の工程管理手段を統括して管理するとともに、該第１及び第２の工程管理手段からスリット番号と、ブロック番号と、冊位置情報とが入力され、前記マスターロールの製造ラインからマスターロールの品種情報と、該マスターロールのロール番号とが入力される生産情報管理手段と、
この生産情報管理手段に設けられ、スリット番号，ブロック番号，冊位置情報，品種情報，ロール番号から各冊ごとのトレーサビリティー情報を作成する履歴情報作成部と、
前記生産情報管理手段に接続され、トレーサビリティー情報が記憶されるデータベースとを備えたことを特徴とするシート状感光材料のトレーサビリティーシステム。
【請求項２】
前記切断・集積設備には、故障のあるシート状感光材料を廃却し、検査試料用のシート状感光材料を抜き取るシート抜取り部が設けられており、
前記第２の工程管理手段は、廃却された各シート状感光材料のスリットフイルムの端部からの長さ位置を表す廃却位置情報と、検査試料として抜き取られた各シート状感光材料のスリットフイルムの端部からの長さ位置を表す試料位置情報とを作成して生産情報管理手段に入力する抜取り位置情報作成部を備え、前記履歴情報作成部は、入力された廃却位置情報または試料位置情報と、前記品種情報と、ロール番号と、スリット番号とから、各シート状感光材料ごとの抜取りシート情報を作成してデータベースに記憶させることを特徴とする請求項１記載のシート状感光材料のトレーサビリティーシステム。
【請求項３】
前記生産情報管理手段は、マスターフイルム上の各冊の位置と、廃却及び抜き取られたシート状感光材料の位置とをスリット番号とブロック番号とで表すトレーサビリティー情報展開図を作成する第１の情報展開図作成部を有することを特徴とする請求項２記載のシート状感光材料のトレーサビリティーシステム。
【請求項４】
前記切断・集積設備によって抜き取られた検査試料に故障が発見された場合に、この故障が発見されたシート状感光材料に隣接するシート状感光材料を前記トレーサビリティー情報展開図を用いて検索し、検査を行い、故障のあるシート状感光材料を廃却する後追い検査と、
前記後追い検査後に、廃却されずに残ったシート状感光材料を有する複数の半端冊の各シート状感光材料を混ぜ合わせ、混合冊を形成する混合工程とを備え、
前記生産情報管理手段は、混合工程に作業指示を出す作業指示作成部を有し、前記履歴情報作成部で、作業指示と各半端冊のトレーサビリティー情報とから混合情報を作成し、前記データベースに記憶させることを特徴とする請求項３記載のシート状感光材料のトレーサビリティーシステム。
【請求項５】
前記作業指示作成部は、複数の半端冊の残り枚数からシート状感光材料を補充する補充冊と、シート状感光材料の補充を受ける受入れ冊と、補充冊から受入れ冊に補充されるシート状感光材料の枚数とからなる作業指示を作成することを特徴とする請求項４記載のシート状感光材料のトレーサビリティーシステム。
【請求項６】
前記混合工程は、前記混合情報が印字されたラベルを作成するラベル作成設備を有し、このラベルは、混合冊が収納された包装袋に貼付されることを特徴とする請求項４または５記載のシート状感光材料のトレーサビリティーシステム。
【請求項７】
前記履歴情報作成部は、後追い検査により抜き取られた冊を廃却されたものとして扱い、前記トレーサビリティ情報から削除することを特徴とする請求項４ないし６いずれか記載のシート状感光材料のトレーサビリティーシステム。
【請求項８】
前記切断・集積工程には、作成された冊を包装袋内に収納する袋詰め設備と、冊が収納された冊入り包装袋を複数段の収納部を有するマガジンに収納し、複数個のマガジンをパレットに載置して保管する中間保管設備とが設けられており、
前記第２の工程管理手段は、中間保管設備から冊入り包装袋が収納されるマガジンの番号と、冊入り包装袋が収納される収納部の位置と、該マガジンが載置されるパレットの番号であるマガジンパレット番号とを取得して生産情報管理手段に入力し、該生産情報管理手段は、入力された冊収納位置情報を前記トレーサビリティー情報と関連付けてデータベースに記憶させることを特徴とする請求項１ないし７いずれか記載のシート状感光材料のトレーサビリティーシステム。
【請求項９】
前記冊入り包装袋を包装箱に収納する箱詰め設備と、冊が収納された複数個の冊入り包装箱をダンボール箱に収納するダンボール詰め設備とを有する包装工程を備え、
この包装工程を管理する第３の工程管理手段は、各ダンボール箱にダンボール番号を付与し、このダンボール番号と、ダンボール箱に収納している複数の冊の各トレーサビリティー情報とから各冊に対応した複数のダンボールトレーサビリティー情報を作成して前記生産情報管理手段に入力するダンボール情報作成部を有し、該生産情報管理手段は、ダンボールトレーサビリティー情報を前記データベースに記憶させることを特徴とする請求項１ないし８いずれか記載のシート状感光材料のトレーサビリティーシステム。
【請求項１０】
前記包装工程は、ダンボール箱をパレット上に載置して保管する製品保管設備を有し、前記第３の工程管理手段は、製品保管設備からダンボールパレット番号を取得して前記生産情報管理手段に入力し、該生産情報管理手段は、前記ダンボールトレーサビリティー情報と関連付けて前記データベースに記憶させることを特徴とする請求項９記載のシート状感光材料のトレーサビリティーシステム。
【請求項１１】
前記製品保管設備から冊を収納したダンボール箱が出荷される際に、前記生産情報管理手段に出荷先情報が入力され、該生産情報管理手段は、出荷先情報を前記ダンボールトレーサビリティー情報と関連付けて前記データベースに記憶させることを特徴とする請求項９または１０記載のシート状感光材料のトレーサビリティーシステム。
【請求項１２】
前記生産情報管理手段は、マスターフイルム上の各ダンボール箱の位置を表すダンボール情報展開図を作成する第２の情報展開図作成部を有することを特徴とする請求項９ないし１１いずれか記載のシート状感光材料のトレーサビリティーシステム。
【発明の詳細な説明】
【技術分野】
【０００１】
本発明は、シート状感光材料のトレーサビリティーシステムに関し、更に詳しくは、シート状感光材料を集積してなる冊と、この冊の元となるスリットロール及びマスターロールとの情報を相互に検索することができるシート状感光材料のトレーサビリティーシステムに関する。
【背景技術】
【０００２】
医療用撮影機器に使用されるシート状感光材料には、直接撮影に使用されるＸ線フイルムや、レーザーイメージャー等の画像出力装置に使用される画像記録用フイルム等がある。このシート状感光材料は、複数枚のシート状感光材料が重ねられてなる冊を厚紙等で形成された保護カバーで挟み込み、この冊を包装袋と包装箱とに順に収納して包装している。シート状感光材料は、例えば、マスターロールから乳剤が塗布されたマスターフイルムを引き出して製品サイズの幅に裁断し、この裁断により形成されたスリットロールから引き出したスリットフイルムを所定長さごとに切断することによって形成されている。
【０００３】
また、マスターロールの製造時に表面検査を行うことにより、マスターロール上の故障位置を特定し、スリットロールの切断時に故障のあるシート状感光材料を廃却している。しかし、表面検査では故障が発見されない場合もあるため、シート状感光材料の各工程中で検査試料を抜き取り、定期検査が行われている。この定期検査によりシート状感光材料に故障が発見された場合には、そのシート状感光材料に近接するシート状感光材料の後追い検査が実施される。
【０００４】
後追い検査では、故障のあるシート状感光材料が廃却される。また、後追い検査後に残ったシート感光材料は、他の半端な冊と混合されて新たな冊が形成される。
【０００５】
出荷時のシート状感光材料には、製品不良等の問題発生に対処するために、加工履歴データが付される。例えば、特許文献１記載の発明では、各工程で生じた製造情報を製品とともに各工程間でトラッキングさせ、包装体の外面に印字している。また、特許文献２記載の発明では、各工程で生じた製造情報を製品とともに各工程間でトラッキングさせ、保護カバー、包装袋、包装箱、段ボール箱等の各包材に印字している。
【特許文献１】特開平０５−０５１０２１号公報
【特許文献２】特開平２００３−１９１９１８号公報
【発明の開示】
【発明が解決しようとする課題】
【０００６】
しかし、上記特許文献１及び２では、製品を冊の追番で管理することはできるが、故障のあるシート状感光材料が発見されたときにその影響範囲を簡単に探し出すことはできない。また、製品冊の中から、混合した冊や、再度包装のみやり直した冊等を見分けることもできない。
【０００７】
本発明は、上記問題を解決するためになされたもので、特定のシート状感光材料を容易に探し出すことができるトレーサビリティーシステムを作成することを目的とする。
【課題を解決するための手段】
【０００８】
上記課題を解決するために、本発明のシート状感光材料のトレーサビリティーシステムは、第１の工程管理手段のスリット情報作成部によって各スリットロールに識別用のスリット番号を付与し、第２の工程管理手段の冊情報作成部によって各冊にブロック番号を付与し、各冊の位置及び範囲をスリットフイルムの端部からの長さによって表す冊位置情報を作成し、生産情報管理手段の履歴情報作成部によって、スリット番号，ブロック番号，冊位置情報と，品種情報，ロール番号から、各冊ごとのトレーサビリティー情報を作成し、これをデータベースに記憶する。これによれば、特定の冊を探し出すために必要なトレーサビリティー情報をデータベースで一元的に管理することができるので、必要とするシート状感光材料の検索が容易になる。
【０００９】
また、切断・集積設備において、故障のあるシート状感光材料が廃却され、検査試料用のシート状感光材料が抜き取られる際に、第２の工程管理手段の抜取り位置情報作成部によって、廃却された各シート状感光材料のスリットフイルムの端部からの長さ位置を表す廃却位置情報と、検査試料として抜き取られた各シート状感光材料のスリットフイルムの端部からの長さ位置を表す試料位置情報とを作成し、生産情報管理手段の履歴情報作成部では、入力された廃却位置情報または試料位置情報と、品種情報と、ロール番号と、スリット番号とから、各シート状感光材料ごとの抜取りシート情報を作成してデータベースに記憶させるようにしたものである。これによれば、廃却及び抜き取られたシート状感光材料の情報も一元的に管理することができるので、容易に検索することができる。
【００１０】
また、生産情報管理手段に、マスターフイルム上の各冊の位置と、廃却及び抜き取られたシート状感光材料の位置とをスリット番号とブロック番号とで表すトレーサビリティー情報展開図を作成する第１の情報展開図作成部を設けたものである。これによれば、各冊の位置、各冊同士の位置関係等を視覚的に理解することができる。
【００１１】
また、生産情報管理手段に混合工程に作業指示を出す作業指示作成部を設け、履歴情報作成部では、作業指示と各半端冊のトレーサビリティー情報とから混合情報を作成し、データベースに記憶させるようにしたものである。これによれば、混合冊の情報も一元的に管理することができるので、容易に検索することができる。
【００１２】
また、作業指示作成部は、複数の半端冊の残り枚数からシート状感光材料を補充する補充冊と、シート状感光材料の補充を受ける受入れ冊と、補充冊から受入れ冊に補充されるシート状感光材料の枚数とからなる作業指示を作成するようにしたので、作業内容が明確であり、混合作業を容易に行うことができる。
更に、混合工程には、混合情報が印字されたラベルを作成するラベル作成設備を設け、このラベルを混合冊が収納された包装袋に貼付するようにしたので、混合冊の識別が容易となる。
【００１３】
また、履歴情報作成部は、後追い検査により抜き取られた冊を廃却されたものとして扱い、該冊のブロック番号を欠番にするので、抜き取られた冊と混合冊との情報が錯綜することはない。
【００１４】
また、切断・集積工程に、作成された冊を包装袋内に収納する袋詰め設備と、冊が収納された冊入り包装袋を複数段の収納部を有するマガジンに収納し、複数個のマガジンをパレットに載置して保管する中間保管設備とが設けられている場合には、第２の工程管理手段に、中間保管設備から冊入り包装袋が収納されるマガジンの番号と、冊入り包装袋が収納される収納部の位置と、該マガジンが載置されるパレットの番号であるマガジンパレット番号とを取得させて生産情報管理手段に入力させ、入力された冊収納位置情報をトレーサビリティー情報と関連付けてデータベースに記憶させるようにしたものである。これによれば、後追い検査の際に容易に必要とする冊の位置を把握することができる。
【００１５】
また、生産ラインに、冊入り包装袋を包装箱に収納する箱詰め設備と、冊が収納された複数個の冊入り包装箱をダンボール箱に収納するダンボール詰め設備とを有する包装工程が設けられている場合には、包装工程を管理する第３の工程管理手段に、各ダンボール箱にダンボール番号を付与し、ダンボール番号と、ダンボール箱に収納している複数の冊の各トレーサビリティー情報とから各冊に対応した複数のダンボールトレーサビリティー情報を作成するダンボール情報作成部を設けるとよい。また、生産情報管理手段は、ダンボールトレーサビリティー情報をデータベースに記憶する。これによれば、必要な冊が収納されているダンボールを容易に検索することができる。
【００１６】
また、包装工程に、ダンボール箱をパレット上に載置して保管する製品保管設備が設けられている場合には、第３の工程管理手段によって、製品保管設備からダンボールパレット番号を取得して生産情報管理手段に入力し、ダンボールトレーサビリティー情報と関連付けてデータベースに記憶させるとよい。これによれば、出荷前の段階で冊の収納位置を容易に検索することができる。
【００１７】
また、製品保管設備から冊を収納したダンボール箱が出荷される際に、生産情報管理手段に入力され出荷先情報をダンボールトレーサビリティー情報と関連付けてデータベースに記憶させるとよい。これによれば、出荷後の冊の位置も容易に検索することができる。
【００１８】
また、生産情報管理手段に、マスターフイルム上の各ダンボール箱の位置を表すダンボール情報展開図を作成する第２の情報展開図作成部を設けるとよい。これによれば、各ダンボール箱に収納されている冊のマスターロール上の位置や、各ダンボール箱間の位置関係を視覚的に理解することができる。
【発明の効果】
【００１９】
本発明のシート状感光材料のトレーサビリティーシステムによれば、シート状感光材料の生産に関連する様々な情報を一つのデータベースで一元的に管理することができるので、様々な情報からシート状感光材料について調べることができる。また、対象とするシート状感光材料の現在位置も容易に検索することができるので、故障発見時等の対応が敏速になる。更に、後追い検査後の半端冊から混合冊を作成する作業も容易になるので、作業時間を短縮することができ、作業ミスも減少させることができる。また、混合冊も容易に識別することができ、この混合冊の情報も検索することができるので、通常の設備で作成された冊と同様の取り扱いが可能となる。
【発明を実施するための最良の形態】
【００２０】
図１は、シート状感光材料が包装された包装体２の包装状態を示す外観斜視図である。医療用撮影機器に使用されるシート状感光材料３は、複数枚が集積されて冊４の形態にされ、厚紙や段ボールなどで形成された保護カバー５に挟み込まれて、折れや部分的な圧力から保護される。保護カバー５に挟み込まれた冊４は、遮光性と防湿性とを備えた包装袋６に収納されて密封される。包装袋６の上面には、冊４の加工履歴を表すトレーサビリティー情報がバーコード６ａで印刷される。冊４を収納した包装袋６は、厚紙で形成された包装箱７に収納される。この包装箱７の表面には、包装袋６と同じ内容のトレーサビリティー情報がバーコード７ａで印刷される。
【００２１】
図２は、本発明を実施したシート状感光材料３の生産ラインの工程を示すフローチャートである。この生産ラインは、裁断工程Ｓ１と、切断・集積工程Ｓ２と、包装工程Ｓ３と、切断・集積工程Ｓ２と包装工程Ｓ３との間で分岐して実施される定期検査Ｓ４、後追い検査Ｓ５、混合工程Ｓ６とから構成されている。各工程の間には、製品を保管する保管庫が配置されている。
【００２２】
図３は、裁断工程Ｓ１の概略を示す概略図である。Ｓ１−１，Ｓ１−２に示すように、裁断工程Ｓ１では、マスターロール１０から幅の広いマスターフイルム１１が引き出され、製品サイズの幅に裁断されて複数本のスリットロール１２が形成される。Ｓ１−３，Ｓ１−４に示すように、スリットロール１２は、ロールパレット１３に複数本が載置され、遮光性等を備えたロール保管庫１４に収納される。
【００２３】
図４は、切断・集積工程Ｓ２の概略を示す概略図である。Ｓ２−１に示すように、スリットロール１２から引き出されたスリットフイルム１７が所定長さにカットされ、シート状感光材料３が形成される。また、Ｓ２−２〜Ｓ２−４に示すように、シート状感光材料３は、所定枚数が集積されて冊４にされ、供給された保護カバー５に挟み込まれて遮光性を有する包装袋６に収納される。包装袋６の上面には、冊４のトレーサビリティー情報がバーコード６ａとして印字される。トレーサビリティー情報は、冊４の加工履歴を表す情報であり、トレーサビリティー情報から、冊４の基となるスリットロール１２及びマスターロール１０や、マスターロール１０及びスリットロール１２内での位置も知ることができる。Ｓ２−５，Ｓ２−６に示すように、冊４を収納した包装袋６は、複数個の収納部２０を有するマガジン２１に収納され、このマガジン２１はマガジンパレット２２に載置されて中間保管庫２３に収納される。
【００２４】
Ｓ２−１とＳ２−２との間のＳ２−７では、故障のあるシート状感光材料３が抜き取られて廃却される。また検査試料となるシート状感光材料３も抜き取られ、定期検査Ｓ４に送られる。
【００２５】
図５は、包装工程Ｓ３の概略を示す概略図である。Ｓ３−１に示すように、冊４を収納した包装袋６は、包装箱７に収納されて包装体２となる。この箱詰め時には、包装袋６のバーコード６ａが読み取られ、同じ内容のバーコード７ａが包装箱７に印字される。Ｓ３−２では、複数個の包装体２がダンボール箱２７に収納される。ダンボール箱２７の表面には、ダンボールトレーサビリティー情報を表すバーコード２８が印字される。ダンボールトレーサビリティー情報は、収納した複数の冊４のトレーサビリティー情報と、ダンボール箱２７を識別するダンボール番号とからなる。Ｓ３−３では、複数個のダンボール箱２７がダンボールパレット２９の上に載置され、Ｓ３−４では、ダンボール箱２７を載置したダンボールパレット２９が製品保管庫３０に入庫される。Ｓ３−１とＳ３−２との間のＳ３−５では、出荷せずに保管される控え品またはサンプル品となる包装体が抜き取られる。
【００２６】
定期検査Ｓ４では、切断・集積工程Ｓ２で検査試料として抜き取られたシート状感光材料３の検査が行われる。後追い検査Ｓ５は、定期検査Ｓ４でシート状感光材料３に故障が発見されたときに、そのシート状感光材料３に近接する範囲のシート状感光材料の検査を行い、故障のあるシート状感光材料３を廃却する。具体的には、マスターロール１０の状態であったときに、故障の発見されたシート状感光材料３に近接する位置にあったシート状感光材料を含む冊４を探し、この冊４からシート状感光材料３を取り出して検査を行う。冊４は、中間保管庫２３や、製品保管庫３０から取り出される。
【００２７】
図６は、混合工程Ｓ６の概略を示す概略図である。混合工程Ｓ６は、後追い検査Ｓ５によって故障のあるシート状感光材料が廃却された冊を集め、これらの半端冊３３〜３５のシート状感光材料３を混ぜ合わせて新しい冊を形成する工程である。混合工程Ｓ６は、後述する生産情報管理コンピュータから出される作業指示にしたがって、手作業で実施される。作業指示は、Ｓ６−１に示す半端冊３３〜３５の中から、残っているシート状感光材料３の枚数を勘案して補充冊と受入れ冊とを指示する。Ｓ６−２に示すように、作業者は、補充冊３３から受入れ冊３４，３５にシート状感光材料３を供給し、Ｓ６−３に示すよに、規定枚数のシート状感光材料３を有する混合冊３６，３７を形成する。
【００２８】
Ｓ６−４に示すように、混合冊３６は、混合工程Ｓ６で包装袋６に収納される。また、Ｓ６−５に示すように、包装袋６の表面には、混合情報を表すバーコード３８が印字されたラベル３９が貼付される。混合情報は、前述の作業指示の内容と、各半端冊のトレーサビリティー情報とからなる。包装袋６に収納された混合冊３６は、前述の包装工程Ｓ３に送られる。
【００２９】
図７は、シート状感光材料生産ラインの構成図である。前述の工程Ｓ１〜Ｓ６は、生産情報管理コンピュータ５０によって統括的に管理される。生産情報管理コンピュータ５０には、作業指示作成部５２と、情報展開図作成部５３と、データベース５４とが設けられている。作業指示作成部５２は、混合作業を指示する作業指示を作成して混合工程Ｓ６に出す。作業指示は、紙にプリントしてもよいし、混合工程Ｓ６内のモニタ等に表示してもよい。なお、混合工程Ｓ６には、混合冊を収納した包装袋に貼付されるラベルを作成するラベル作成装置５６が設けられている。
【００３０】
情報展開図作成部５３は、マスターフイルム１１上の各冊４の位置と、廃却または抜き取られたシート状感光材料３の位置とをスリット番号とブロック番号とで表すトレーサビリティー情報展開図１７０（図１９参照）と、マスターフイルム１１上の各ダンボール箱２７の位置を表すダンボール情報展開図１７５（図２２参照）とを作成する。後追い検査では、これらの情報展開図を参照して検査範囲の冊４が特定される。データベース５４は、各工程の作業内容を表す指示情報と、各工程から入力される実績情報とが記憶される。指示情報は、入力された生産計画に基づいて生産情報管理コンピュータ５０が作成し、実績情報は、この指示情報に基づいて行った作業の実績が各工程で作成されて入力される。
【００３１】
生産情報管理コンピュータ５０には、各工程の実績情報の他、マスターロールの生産ライン５８から、マスターロール１０の品種情報及びロール番号と、マスターフイルム１１の故障位置を表す故障情報とが入力される。また、生産ライン全体の稼働内容を表す生産計画や、製品の出荷先情報等も入力され、データベース５４に記憶される。
【００３２】
図８は、裁断工程Ｓ１の構成を示すブロック図である。裁断工程Ｓ１は、裁断装置６５と、ロール保管庫１４と、裁断装置用設備コントローラ６６と、ロール保管庫用設備コントローラ６７と、裁断工程用統括コントローラ６８とから構成されている。
【００３３】
裁断装置６５は、マスターロール１０を裁断してスリットロール１２を作成する装置であり、裁断と同時にスリットロール１２の全長を測定する。ロール保管庫１４は、前述のようにスリットロール１２を保管する。裁断装置用設備コントローラ６６及びロール保管庫用設備コントローラ６７は、裁断装置６５とロール保管庫１４とを個別に管理し、入力された指示情報から制御情報を作成して各設備を稼働させ、各装置から入力された作業実績から実績情報を作成して裁断工程用統括コントローラ６８に入力する。裁断工程用統括コントローラ６８は、第１の工程管理手段であり、入力された指示情報に基づいて、裁断装置用設備コントローラ６６及びロール保管庫用設備コントローラ６７を統括的に管理する。
【００３４】
裁断工程用統括コントローラ６８と、裁断装置用設備コントローラ６６及び，ロール保管庫用設備コントローラ６７には、周知のプログラマブルロジックコントローラ（ＰＬＣ）が使用されている。ＰＬＣは、コンピュータのように専用のソフトウェア等を開発する必要がないため、コストダウンを図ることができる。また、リアルタイム処理が可能であるため、生産ライン内の管理を迅速に行うことができる。更に、コンピュータに比べて寿命が長いので長期的なコストダウンを図ることができる。
【００３５】
裁断工程用統括コントローラ６８は、生産情報管理コンピュータ５０から入力された指示情報を一時的に記憶し、各設備の生産状況に応じて各設備コントローラ６６，６７に入力する。また、各設備コントローラで作成された実績情報も一時的に記憶し、生産情報管理コンピュータ５０の動作状況に応じて送信する。裁断工程用統括コントローラ６８には、形成された複数のスリットロール１２にスリット番号を付与するスリット情報作成部７１が設けられている。このスリット番号と、前述のスリット長は、裁断実績情報として生産情報コンピュータ５０に入力される。
【００３６】
図９は、切断・集積工程Ｓ２の構成を示すブロック図である。切断・集積工程Ｓ２は、切断・集積装置８０、カバー装填装置８１、袋詰め装置８２、中間保管庫２３、切断・集積装置用設備コントローラ８３、カバー装填装置用設備コントローラ８４、袋詰め装置用設備コントローラ８５、中間保管庫用設備コントローラ８６、切断・集積工程用統括コントローラ８７から構成されている。
【００３７】
切断・集積装置８０〜袋詰め装置８２は、前述したように、スリットロール１２から引き出したスリットフイルム１７を所定長さごとに切断してシート状感光材料３を作成し、これを集積して冊４を形成し、冊４を保護カバー５で挟んで包装袋６に収納する。また、切断・集積装置８０は、生産情報管理コンピュータ５０から指示情報として入力される抜取情報に基づいて、故障のあるシート状感光材料を廃却し、検査試料となるシート状感光材料を抜き取るシート抜取り部を備えている。
【００３８】
切断・集積装置用設備コントローラ８３〜中間保管庫用設備コントローラ８６は、各装置８０〜８２，２３を個別に管理し、入力された指示情報から制御情報を作成して各設備を稼働させる。また、各装置８０〜８２，２３から入力された作業実績から実績情報を作成し、切断・集積工程用統括コントローラ８７に入力する。切断・集積工程用統括コントローラ８７は、第２の工程管理手段であり、入力された指示情報に基づいて、各設備コントローラ８３〜８６を統括的に管理する。
【００３９】
切断・集積工程用統括コントローラ８７には、冊情報作成部９０と、抜取り位置情報作成部９１とが設けられている。冊情報作成部９０は、スリットフイルム１７内の各冊４を識別するブロック番号を付与し、各冊４の位置及び範囲をスリットフイルム１７の端部からの長さによって表す冊位置情報を作成する。また、抜取り位置情報作成部９１は、廃却された各シート状感光材料３のスリットフイルム１７の端部からの長さ位置を表す廃却位置情報と、検査試料として抜き取られた各シート状感光材料３のスリットフイルム１７の端部からの長さ位置を表す試料位置情報とを作成する。これらの情報は、切断実績情報として生産情報管理コンピュータ５０に入力される。
【００４０】
生産情報管理コンピュータ５０には、履歴情報作成部９４が設けられている。この履歴情報作成部９４は、マスターロールの生産ライン５８から入力される品種情報及びロール番号と、裁断工程用統括コントローラ６８から入力されるスリット番号と、切断・集積工程用統括コントローラ８７から入力されるブロック番号及び冊位置情報とから、トレーサビリティー情報を作成し、データベース５４に記憶させる。
【００４１】
また、履歴情報作成部９４は、廃却位置情報、または試料位置情報と、前記品種情報と、ロール番号と、スリット番号とから、抜き取られたシート状感光材料ごとの抜取りシート情報を作成し、データベース５４に記憶させる。この抜取りシート情報とトレーサビリティー情報とにより、マスターロール１０から作成された全てのシート状感光材料の追跡が可能となる。更に、履歴情報作成部９４は、前述の混合工程Ｓ６に出す作業指示と、半端冊のトレーサビリティー情報とから、混合冊の混合情報を作成する。
【００４２】
なお、切断・集積工程用統括コントローラ８７は、中間保管庫２３から、各冊４が収納されている収納部位置、マガジン番号、マガジンパレット番号を取得し、保管実績情報として生産情報管理コンピュータ５０に送信している。生産情報管理コンピュータ５０は、これらの情報をトレーサビリティー情報と関連づけてデータベースに記憶させている。これにより、後追い検査の際に必要とする冊４の位置がすぐに検索することができるようになる。
【００４３】
図１０は、包装工程Ｓ３の構成を示すブロック図である。包装工程Ｓ３は、箱詰め装置１００、ダンボール詰め装置１０１、製品保管庫３０、箱詰め装置用設備コントローラ１０２、ダンボール詰め装置用設備コントローラ１０３、製品保管庫用設備コントローラ１０４、包装工程用統括コントローラ１０５から構成されている。箱詰め装置１００、ダンボール詰め装置１０１、製品保管庫３０は、前述したように、冊４を収納した包装袋６を包装箱７に収納して包装体２を形成し、この包装体２をダンボール箱２７に複数個収納して保管する。
【００４４】
箱詰め装置用設備コントローラ１０２〜製品保管庫用設備コントローラ１０４は、各装置１００，１０１，３０を個別に管理し、入力された指示情報から制御情報を作成して各設備を稼働させる。また、各装置１００，１０１，３０から入力された作業実績から実績情報を作成し、包装工程用統括コントローラ１０５に入力する。包装工程用統括コントローラ１０５は、第３の工程管理手段であり、入力された指示情報に基づいて、各設備コントローラ１０２〜１０４を統括的に管理する。
【００４５】
包装工程用統括コントローラ１０５には、ダンボールトレーサビリティー情報作成部１０８が設けられている。このダンボールトレーサビリティー情報作成部１０８は、各ダンボール箱２７にダンボール番号を付与し、このダンボール番号と、ダンボール箱２７に収納されている各冊４のトレーサビリティー情報とから、各冊ごとにダンボールトレーサビリティー情報を作成する。ダンボールトレーサビリティー情報は、ダンボール実績情報として生産情報管理コンピュータ５０に入力され、データベース５４に記憶される。
【００４６】
また、包装工程用統括コントローラ１０５は、製品保管庫３０から各ダンボール２７が載置されているダンボールパレット番号を取得して生産情報管理コンピュータ５０に送信している。生産情報管理コンピュータ５０は、ダンボールパレット番号をダンボールトレーサビリティー情報と関連づけてデータベース５４に記憶させる。これにより、後追い検査の際に必要とする冊４の位置がすぐに検索することができる。また、ダンボール箱２７が出荷される際には、その出荷先情報が生産情報管理コンピュータ５０に入力され、ダンボールトレーサビリティー情報と関連付けてデータベース５４に記憶される。これにより、出荷後の各冊の位置も容易に検索することができる。
【００４７】
図１１は、データベース５４に記憶される情報を示す説明図である。データベース５４には、生産計画、指示情報、実績情報、品種情報、ロール番号、故障情報、抜取情報、作業指示、混合情報、出荷先情報等とともに、これらの各情報の組み合わせからなるトレーサビリティー情報や、抜取りシート情報、ダンボールトレーサビリティー情報等が一元的に記憶される。そのため、生産工程のどの段階からでも加工履歴を容易に検索することができる。
【００４８】
次に、上記実施形態の作用について説明する。図１２のフローチャートに示すように、生産情報管理コンピュータ５０は、入力された生産計画に基づいて、各工程の稼働内容を表す指示情報を作成する。この生産計画及び指示情報は、データベース５４に記憶され、指示情報は、適当なタイミングで各工程の統括コントローラに送信される。
【００４９】
生産情報管理コンピュータ５０には、マスターロールの生産ライン５８から、品種情報、ロール番号、故障情報が入力される。故障情報は、マスターロールの生産ライン５９において、マスターフイルム１１への乳剤の塗布後に行われる面状検査の面状検査情報を基に作成されており、図１３は、故障情報をイメージ化した説明図であり、マスターフイルム１１の上には、故障１２０〜１２３がマーキングされている。
【００５０】
生産情報管理コンピュータ５０は、入力された品種情報に基づいて、データベース５４から裁断パターンを読み出し、マスターロール１０の裁断位置を決定するロール引き当てを行い、ロール引当情報を作成する。図１４は、ロール引当情報をイメージ化した説明図であり、裁断パターン１３０に裁断予定ライン１３１が付されている。また、このロール引き当てでは、裁断パターン１３０に、図１３の故障情報がマッピングされ、各故障１２０〜１２３のマスターフイルム１１の端部からの位置と、裁断後に故障が存在することになるスリットロール１２とが確定される。
【００５１】
生産情報管理コンピュータ５０は、裁断工程用統括コントローラ６８に裁断指示情報を入力する。この裁断指示情報には、ロール引当情報と、品種情報、ロール番号等が含まれている。裁断工程Ｓ１にはマスターロール１０が供給され、裁断装置６５でマスターロール１０が裁断されて複数本のスリットロール１２が形成される。この裁断時に、スリットロール１２の全長が計測され、作成された複数本のスリットロール１２には、スリット情報作成部７１によってスリット番号が付与される。スリット長とスリット番号は、裁断実績情報として生産情報管理コンピュータ５０に入力され、データベース５４に記憶される。
【００５２】
図１５に示すように、生産情報管理コンピュータ５０は、マスターフイルム１１の故障情報を各スリットフイルム１７に適用し、各スリットロール１２毎の故障情報を作成する。これにより、マスターフイルム１１の故障１２０〜１２３は、各スリットフイルム１７に分散して故障１３５〜１４１となる。
【００５３】
スリットフイルム１７は、その先端及び後端に生じる常損（長さ方向のロス）が廃却され、検査試料が抜き取られる。また、各故障１３５〜１４１の幅方向の位置情報も必要ない。そのため、生産情報管理コンピュータ５０は、これらの長さも加えて各スリットフイルム１７の故障情報を補正し、各スリットフイルム１７ごとにシートが抜き取られる位置を表す抜取情報を作成し、データベース５４に記憶させる。図１６は、各スリットフイルム１７の抜取情報をイメージ化したものであり、塗りつぶされた部分１４５〜１６３がスリットフィルウ１７から廃却または抜き取られる位置を示している。
【００５４】
スリットロール１２は、ロールパレット１３に載置されてロール保管庫１４に入庫される。裁断工程統括コントローラ６８は、ロールパレット番号を取得して生産情報管理コンピュータ５０に入力し、品種情報、ロール番号、スリット番号と関連づけてデータベース５４に記憶される。
【００５５】
図１７のフローチャートに示すように、切断・集積工程Ｓ２では、生産情報管理コンピュータ５０から切断・集積工程用統括コントローラ８７に切断指示情報が入力され、切断・集積装置８０にスリットロール１２が供給される。切断指示情報には、品種情報、ロール番号、スリット番号とともに抜取情報が含まれている。
【００５６】
切断・集積工程Ｓ２では、スリットフイルム１７が切断されてシート状感光材料３が形成され、抜取情報にしたがってシート状感光材料が廃却及び抜き取られる。シート状感光材料３は、複数枚が集積されて冊４が形成される。冊４は、保護カバー５に挟み込まれ、包装袋６に収納される。
【００５７】
冊情報作成部９０は、冊４が形成されるごとに、冊４を識別するブロック番号と、スリットフイルム１７の端部からの冊４の位置と範囲とを表す冊位置情報とを作成し、生産情報管理コンピュータ５０に入力する。履歴情報作成部９４は、品種情報、ロール番号、スリット番号、ブロック番号、冊位置情報から各冊４のトレーサビリティー情報を作成し、データベース５４に入力する。
【００５８】
また、抜取り位置情報作成部９１は、廃却されるシート状感光材料３のスリットロール１２の端部からの長さを表す廃却位置情報と、検査試料として抜き取られるシート状感光材料３のスリットロール１２の端部からの長さを表す試料位置情報とを作成し、生産情報管理コンピュータ５０に入力する。履歴情報作成部９４は、品種情報と、ロール番号と、スリット番号とから、抜き取られたシート状感光材料３ごとの抜取りシート情報を作成し、データベース５４に記憶させる。
【００５９】
包装袋６の表面には、トレーサビリティー情報を表すバーコード６ａが印字され、マガジン２１の収納部２０に収納されて、マガジンパレット２２により中間保管庫２３に入庫される。切断・集積工程用統括コントローラ８７は、中間保管庫２３から収納部位置、マガジン番号、マガジンパレット番号を取得して生産情報管理コンピュータ５０に入力し、トレーサビリティ−情報に関連づけてデータベース５４に記憶させる。
【００６０】
切断・集積工程Ｓ２において、検査試料として抜き取られたシート状感光材料３は、定期検査Ｓ４で検査される。この検査により故障が発見された場合には、故障のあるシート状感光材料３に関連する冊４の後追い検査Ｓ５が実行される。
【００６１】
図１８のフローチャートに示すように、後追い検査Ｓ５を実施する際には、生産情報管理コンピュータ５０にトレーサビリティー情報展開図の作成を指示する。情報展開図作成部５３は、図１９（Ａ）に示すように、マスターフイルム１１上の各スリットフイルム１７の位置と、各冊４の位置をブロック番号で表すトレーサビリティー情報展開図１７０を作成する。後追い検査Ｓ５では、トレーサビリティー情報展開図１７０を参照して、後追い検査するべき冊４を検討し、その冊４のトレーサビリティー情報を検索して現在位置を特定し、入手して検査を行う。以上を繰り返し行うことにより、故障の範囲を特定する。トレーサビリティー情報展開図１７０を作成するようにしたので、故障冊に関連する冊の検討が容易である。また、トレーサビリティーデータが一元的に管理されており、冊４の現在位置も簡単に検索することができるので、後追い検査の効率が向上する。
【００６２】
検査で故障が発見されたシート状感光材料３は、冊４から取り出されて廃却される。この廃却情報は、生産情報管理コンピュータ５０に入力される。生産情報管理コンピュータ５０は、後追い検査された冊４は廃却されたものして取り扱い、その冊４のブロック番号を欠番にする。図１９（Ｂ）は、後い検査後のトレーサビリティー情報展開図１７３を示しており、後追い検査された冊４、例えば、スリット番号１のブロック番号７や、スリット番号４のブロック番号１４は、欠番にされている。
【００６３】
後追い検査された冊４のうち、シート状感光材料３が残っている半端冊が複数ある場合には、混合工程Ｓ６が実施される。図２０のフローチャートに示すように、生産情報管理コンピュータ５０の作業指示作成部５２は、後追い検査Ｓ５から入力された廃却情報に基づいて、複数の半端冊の残り枚数からシート状感光材料３を補充する補充冊と、シート状感光材料３の補充を受ける受入れ冊と、補充冊から受入れ冊に補充されるシート状感光材料３の枚数とからなる作業指示を作成し、混合工程Ｓ６の作業者に指示する。また、履歴情報作成部９４では、作成された作業指示と、半端冊のトレーサビリティー情報とから混合情報を作成し、データベース５４に記憶させる。
【００６４】
作業者は、作業指示にしたがってシート状感光材料３の混ぜ合わせを行い、規定枚数のシート状感光材料３を有する混合冊を形成し、包装袋６に収納する。また、混合情報を表すバーコード３８が印字されたラベル３９をラベル作成装置５６で作成し、包装袋６に貼付する。これにより、混合冊の識別が容易になる。混合冊が収納された包装袋６は、包装工程Ｓ３に送られる。
【００６５】
図２１のフローチャートに示すように、包装工程Ｓ３では、生産情報管理コンピュータ５０から、包装工程用統括コントローラ１０５に指示情報が入力される。この指示情報のうち、箱詰め指示情報には、控え品またはサンプル品として抜き取られる包装体２を指示する控え品情報が含まれている。包装工程Ｓ３は、冊４を収納した包装袋６を包装箱７に収納する。このときに、包装袋６のバーコード６ａを読み取り、バーコード６と同じ内容のバーコード７ａを包装箱７に印字する。また、控え品及びサンプル品は、箱詰め後に抜き取られ、別途保管される。
【００６６】
また、複数個の包装体２がダンボール箱２７に詰め込まれ、このダンボール箱１７の表面にダンボールトレーサビリティー情報が印字される。ダンボールトレーサビリティ情報は、生産情報管理コンピュータ５０に入力されてデータベース５４に記憶される。ダンボール箱２７は、ダンボールパレット２９も載置されて製品保管庫３０に入庫される。ダンボールパレット番号は、ダンボールトレーサビリティー情報と関連づけてデータベース５４に記憶されるので、ダンボール箱２７内に収納されている冊４の検索も容易である。
【００６７】
情報展開図作成部５３は、図２２に示すように、マスターフイルム１１上の各ダンボール箱２７の位置を表すダンボール情報展開図１７５を作成する。このダンボール情報展開図１７５を参照することにより、製品保管庫１０４内に収納されている冊４も容易に探すことができ、後追い検査も効率的に行うことができる。
【００６８】
ダンボール箱２７が出荷される際には、その出荷先情報が生産情報管理コンピュータ５０に入力され、ダンボールトレーサビリティー情報と関連づけてデータベース５４に記憶される。これにより、出荷後の冊４の捜索も容易になる。
【００６９】
なお、上記実施形態では、医療用のシート状感光材料の生産ラインを例に説明したが、その他のシート状感光材料の生産にも利用することができる。また、シート状感光材料以外の製品のトレーサビリティーシステムとしても転用可能である。
【図面の簡単な説明】
【００７０】
【図１】シート状感光材料の包装体の構成を示す外観斜視図である。
【図２】本発明を実施したシート状感光材料の生産ラインの工程を示すフローチャートである。
【図３】裁断工程の作業内容を示す概略図である。
【図４】切断・集積工程の作業内容を示す概略図である。
【図５】包装工程の作業内容を示す概略図である。
【図６】混合工程の作業内容を示す概略図である。
【図７】シート状感光材料の生産ラインの構成図である。
【図８】裁断工程の構成を示すブロック図である。
【図９】切断・集積工程の構成を示すブロック図である。
【図１０】包装工程の構成を示すブロック図である。
【図１１】データベースの記憶内容を示す説明図である。
【図１２】裁断工程の作業手順を示すフローチャートである。
【図１３】マスターフイルムの故障情報のイメージ図である。
【図１４】ロール引き当て情報のイメージ図である。
【図１５】スリットフイルムの故障情報のイメージ図である。
【図１６】スリットフイルムの抜取情報のイメージ図である。
【図１７】切断・集積工程の作業手順を示すフローチャートである。
【図１８】後追い検査の作業手順を示すフローチャートである。
【図１９】トレーサビリティー情報展開図である。
【図２０】混合工程の作業手順を示すフローチャートである。
【図２１】包装工程の作業手順を示すフローチャートである。
【図２２】ダンボール情報展開図である。
【符号の説明】
【００７１】
２  包装体
３  シート状感光材料
４  冊
６  包装袋
７  包装箱
１０  マスターロール
１１  マスターフイルム
１２  スリットロール
１７  スリットフイルム
２３  中間保管庫
３０  製品保管庫
３３  半端冊
３６  混合冊
３９  ラベル
５０  生産情報管理コンピュータ
５２  作業指示作成部
５３  情報展開図作成部
５４  データベース
５６  ラベル作成装置
５８  マスターロールの生産ライン
６５  裁断設備
６６  裁断装置用設備コントローラ
６８  裁断工程用統括コントローラ
６９  切断・集積装置
７１  スリット情報作成部
８３  切断・集積装置用設備コントローラ
８６  中間保管庫用設備コントローラ
８７  切断・集積工程用統括コントローラ
９０  冊情報作成部
９１  抜取り位置情報作成部
１０１  ダンボール詰め装置
１０３  ダンボール詰め装置用設備コントローラ
１０５  包装工程用統括コントローラ
１０８  ダンボールトレーサビリティー情報作成部
１７０  トレーサビリティー情報展開図
１７５  ダンボール情報展開図
【図１】
2007168893.tif 000003
【図２】
2007168893.tif 000004
【図３】
2007168893.tif 000005
【図４】
2007168893.tif 000006
【図５】
2007168893.tif 000007
【図６】
2007168893.tif 000008
【図７】
2007168893.tif 000009
【図８】
2007168893.tif 000010
【図９】
2007168893.tif 000011
【図１０】
2007168893.tif 000012
【図１１】
2007168893.tif 000013
【図１２】
2007168893.tif 000014
【図１３】
2007168893.tif 000015
【図１４】
2007168893.tif 000016
【図１５】
2007168893.tif 000017
【図１６】
2007168893.tif 000018
【図１７】
2007168893.tif 000019
【図１８】
2007168893.tif 000020
【図１９】
2007168893.tif 000021
【図２０】
2007168893.tif 000022
【図２１】
2007168893.tif 000023
【図２２】
2007168893.tif 000024